(57)【要約】      （修正有）【課題】パネル部材や枠部材に直接触れることなく間仕切パネルを移動させることができる移動間仕切装置を提供する。【解決手段】天井に設けられる誘導路に吊支部材を介して吊支され、誘導路に沿って移動可能な複数の間仕切パネル２，２，…を幅方向に連接させて空間を仕切る移動間仕切装置であって、間仕切パネル２は、パネル部材４，４と、パネル部材４，４を支持する枠部材５と、を備え、間仕切パネルの側端部には、少なくとも一部が変形可能な把持部材１０が設けられている。【選択図】図２
2019085707.tif 000002
【特許請求の範囲】
【請求項１】
天井に設けられる誘導路に吊支部材を介して吊支され、前記誘導路に沿って移動可能な複数の間仕切パネルを幅方向に連接させて空間を仕切る移動間仕切装置であって、
前記間仕切パネルは、パネル部材と、前記パネル部材を支持する枠部材と、を備え、
前記間仕切パネルの側端部には、少なくとも一部が変形可能な把持部材が設けられていることを特徴とする移動間仕切装置。
【請求項２】
前記把持部材は、隣接する前記間仕切パネルの側端部間に形成される空間に設けられることを特徴とする請求項１に記載の移動間仕切装置。
【請求項３】
前記把持部材は、可撓性を有する長尺体であって、その一部位が前記凹部に固定される固定部となっており、他の部位が自由端となっていることを特徴とする請求項２に記載の移動間仕切装置。
【請求項４】
前記凹部には、前記把持部材の自由端側の動きを規制する規制部が設けられていることを特徴とする請求項３に記載の移動間仕切装置。
【請求項５】
前記枠部材の縦フレームは、強度の高い芯部材を備え、
前記把持部材は、前記芯部材に対して固定されていることを特徴とする請求項１ないし４のいずれかに記載の移動間仕切装置。
【発明の詳細な説明】
【技術分野】
【０００１】
本発明は、オフィス、会議室、ショールーム、店舗等の室内を所定の区画に仕切って使用するための移動間仕切装置に関する。
【背景技術】
【０００２】
オフィス、会議室、ショールーム、店舗等の室内は、天井に設けられたレールに吊支され、該レールに沿って移動可能な間仕切パネルを連接して所定の区画に仕切って、所望の小区画のレイアウトを実現している。このような移動間仕切装置にあっては、連接される間仕切パネルにより室内が天井から床面に亘って仕切られ閉塞感を与えることがあるため、間仕切パネルを構成するパネル材に透光パネルを用いて室内空間に開放感を演出するものが知られている（特許文献１参照）。
【０００３】
特許文献１の可動式間仕切りシステム（移動間仕切装置）は、天井に設けられた軌道台と、軌道台に摺動自在に組み付けられる摺動台と、該摺動台に保持手段を介して取り付けられる複数のドア部（間仕切パネル）と、から主に構成され、ドア部は、透光性を有するガラス板（パネル部材）と、該ガラス板を取り囲むいわゆる四方枠形状のアルミフレーム（枠部材）と、から構成されることにより、連接されるドア部により部屋を天井から床面に亘って仕切ることができるようになっている。
【先行技術文献】
【特許文献】
【０００４】
【特許文献１】特開２００３−１８４４１０号公報（第６頁、第７図）
【発明の概要】
【発明が解決しようとする課題】
【０００５】
しかしながら、特許文献１にあっては、ドア部を連接する際に、作業者がアルミフレームやガラス板に手を触れながらドア部を移動させることとなるため、間仕切パネルの表面を構成するガラス板やアルミフレームに油や指紋等の汚れが付着してしまい、間仕切パネルの美観を損ねてしまうという問題がある。
【０００６】
本発明は、このような問題点に着目してなされたもので、パネル部材や枠部材に直接触れることなく間仕切パネルを移動させることができる移動間仕切装置を提供することを目的とする。
【課題を解決するための手段】
【０００７】
前記課題を解決するために、本発明の移動間仕切装置は、
天井に設けられる誘導路に吊支部材を介して吊支され、前記誘導路に沿って移動可能な複数の間仕切パネルを幅方向に連接させて空間を仕切る移動間仕切装置であって、
前記間仕切パネルは、パネル部材と、前記パネル部材を支持する枠部材と、を備え、
前記間仕切パネルの側端部には、少なくとも一部が変形可能な把持部材が設けられていることを特徴としている。
この特徴によれば、間仕切パネルの側端部に設けられる把持部材を把持して間仕切パネルを移動させることにより、パネル部材や枠部材に直接触れることなく間仕切パネルを移動させることができる。さらに、少なくとも一部が変形可能な把持部材を間仕切パネルの表面側に引き出すことにより、間仕切パネルを移動させやすくなるとともに、隣接する間仕切パネル間における手の挟み込みを防止することができる。
【０００８】
前記把持部材は、隣接する前記間仕切パネルの側端部間に形成される空間に設けられることを特徴としている。
この特徴によれば、間仕切パネルを連接させる際に、隣接する間仕切パネルの側端部間に形成される空間に把持部材を収納することができるため、隣接する間仕切パネル間における把持部材の挟み込みを防止することができる。
【０００９】
前記把持部材は、帯、ひも等の可撓性を有する長尺体であって、その一部位が前記凹部に固定される固定部となっており、他の部位が自由端となっていることを特徴としている。
この特徴によれば、把持部材の自由端を間仕切パネルの表面側に引き出しやすくなっている。
【００１０】
前記凹部には、前記把持部材の自由端側の動きを規制する規制部が設けられていることを特徴としている。
この特徴によれば、規制部が凹部における把持部材の自由端側の動きを規制することにより、凹部の外への把持部材の自由端の飛び出しを抑えることができるため、隣接する間仕切パネル間における把持部材の挟み込みを防ぐことができる。
【００１１】
前記枠部材の縦フレームは、強度の高い芯部材を備え、
前記把持部材は、前記芯部材に対して固定されていることを特徴としている。
この特徴によれば、把持部材は、強度の高い芯部材に対して固定されることにより、固定強度が高められるとともに、把持部材を把持して間仕切パネルを移動させる際に、強度の高い芯部材に応力が作用することとなるため、縦フレームの変形や破損を抑えることができる。
【図面の簡単な説明】
【００１２】
【図１】本発明の実施例における移動間仕切装置を示す正面図である。
【図２】（ａ）は、実施例における間仕切パネルの構造を示す斜視図であり、（ｂ）は同じく間仕切パネルの構造を示す分解斜視図である。
【図３】実施例における移動間仕切装置の構造を示す側面視における断面図である。
【図４】実施例における間仕切パネルの上部閉塞部材および下部閉塞部材が進出した状態を示す側面視における断面図である。
【図５】実施例における把持部材の取付構造を示す正面視における一部断面図である。
【図６】実施例における把持部材の取付構造を示す上面図である。
【図７】実施例における隣接する間仕切パネルを連接させた状態を示す上面視における断面図である。
【図８】実施例における把持部材を利用して間仕切パネルを連接させる様子を示す斜視図である。
【図９】実施例における把持部材を利用して間仕切パネルの連接を解除する様子を示す斜視図である。
【図１０】実施例における把持部材の取付構造の変形例を示す側面図である。
【図１１】実施例における把持部材の変形例を示す正面視における一部断面図である。
【図１２】実施例における把持部材の変形例を示す正面視における一部断面図である。
【図１３】実施例における把持部材の変形例を示す正面視における一部断面図である。
【発明を実施するための形態】
【００１３】
本発明に係る移動間仕切装置を実施するための形態を実施例に基づいて以下に説明する。
【実施例】
【００１４】
実施例に係る移動間仕切装置につき、図１から図１２を参照して説明する。以下、図１の紙面手前側および図３の紙面右側を移動間仕切装置の正面側（前方側）とし、その前方側から見たときの上下左右方向を基準として説明する。
【００１５】
本実施例の移動間仕切装置１は、例えば、オフィス、会議室、ショールーム、店舗等の建物内の室内を所定の区画に仕切るために設置され、図１に示されるように、室内空間の天井Ｃに設けられるレール３（誘導路）に沿って移動可能な一対の吊支部材９，９により上端が吊支される複数の間仕切パネル２，２，…から主に構成され、間仕切パネル２，２，…をレール３に沿って所定の位置まで手動で順次移動させることによって、間仕切パネル２，２，…を左右方向（幅方向）に一列に連接させて天井Ｃから床面Ｆに亘って室内空間を仕切ることができるようになっている。尚、間仕切パネル２を移動可能とするレール３および吊支部材９は、よく知られた構成であるため、詳しい説明を省略する。
【００１６】
図２（ａ）および図２（ｂ）に示されるように、間仕切パネル２は、前後に間隔をおいて対向配置される一対のガラスパネル４，４（パネル部材）と、ガラスパネル４，４を一体に保持する枠部材５（上部フレーム６、縦フレーム７，７および下部フレーム８）と、から主に構成される二重ガラスパネル構造を成し、パネル材として透明のガラスパネル４が使用されることにより、間仕切パネル２によって仕切られる室内空間の開放感を演出することができるとともに、強度や遮音性に優れている。また、間仕切パネル２の右方側の側端部には、上下略中央の位置に把持部材１０（長尺体）が取り付けられている。
【００１７】
図２（ａ）および図２（ｂ）に示されるように、枠部材５は、ガラスパネル４，４の上端部に取り付けられる上部フレーム６と、ガラスパネル４，４の対向面４ａ，４ａ間に配置され（図３、図６および図７参照）、上部フレーム６の左右両端部と上端部をそれぞれ固定される一対の縦フレーム７，７と、ガラスパネル４，４の下端部に取り付けられ、左右両端部を一対の縦フレーム７，７の下端部とそれぞれ固定される下部フレーム８と、から主に構成され、一対のガラスパネル４，４の上下左右端に沿って配置される、いわゆる四方枠形状を成している。
【００１８】
尚、本実施例において、上部フレーム６および下部フレーム８には、左端部が左方に突出した状態で上部閉塞部材６０および下部閉塞部材８０がそれぞれ収納されている。上部閉塞部材６０および下部閉塞部材８０は、隣接する間仕切パネル２，２を左右方向に連接させる際に、一方の間仕切パネル２の側端部を他方の間仕切パネル２の対向する側端部に当接させることにより、上部フレーム６および下部フレーム８の内部（右方）に向けて押し込まれるとともに、上部フレーム６および下部フレーム８から上下方向にそれぞれ進出し、間仕切パネル２の上端とレール３の下面３ａとの隙間および間仕切パネル２の下端と床面Ｆとの隙間を閉塞できるようになっている（図１および図４参照）。尚、上部閉塞部材６０および下部閉塞部材８０と、上部フレーム６および下部フレーム８から上部閉塞部材６０および下部閉塞部材８０を上下方向に進出させるための図示しない進出機構は、よく知られた構成であるため、詳しい説明を省略する。
【００１９】
次いで、枠部材５を構成する一対の縦フレーム７，７について説明する。尚、枠部材５を構成する一対の縦フレーム７，７は、略同一構成であるため、間仕切パネル２の一方（右方）の側端部に設けられる縦フレーム７（図７の紙面左側の縦フレーム７）について説明し、間仕切パネル２の他方（左方）の側端部に設けられる縦フレーム７についての説明を省略する。
【００２０】
図２（ｂ）および図３〜図７に示されるように、縦フレーム７は、間仕切パネル２の上下方向に延びる被覆部材７０と、間仕切パネル２の上下方向に延び被覆部材７０により被覆される芯部材７１と、から主に構成されている。尚、説明の便宜上、図６においては、上部フレーム６の図示を省略している。また、図７においては、紙面下側を移動間仕切装置の正面側（前方側）とし、その前方側から見たときの上下左右方向を基準として説明する。
【００２１】
図６に示されるように、被覆部材７０は、アルミ合金製の押出成形品であり、芯部材７１が収納される収納部７２と、収納部７２の前後に形成され一対のガラスパネル４，４をそれぞれ支持する前方支持部７３および後方支持部７４と、が形成されている。
【００２２】
図６および図７に示されるように、被覆部材７０は、前方支持部７３の支持面７３ａおよび後方支持部７４の支持面７４ａを一対のガラスパネル４，４の対向面４ａ，４ａの側縁部にそれぞれ当接させることにより、間仕切パネル２におけるガラスパネル４，４の前後方向の間隔を保持するスペーサとして機能するとともに、前方支持部７３の支持面７３ａおよび後方支持部７４の支持面７４ａにそれぞれ接着される各２条の両面テープ７５，７５によって一対のガラスパネル４，４の対向面４ａ，４ａの両側縁部をそれぞれ固着することにより、ガラスパネル４，４を支持できるようになっている。
【００２３】
図２（ｂ）および図３〜図７に示されるように、芯部材７１は、間仕切パネル２の左右方向に厚みを有する鋼製の板材であり、被覆部材７０の収納部７２に挿入された状態で、芯部材７１の前後端近傍に設けられるネジ孔７１ａ，７１ａ（図７参照）に対して右方から固定ネジ１２，１２によってネジ止めされることにより、被覆部材７０と芯部材７１とが上下方向に相対移動しないように一体に固定されている。
【００２４】
このように、枠部材５を構成する一対の縦フレーム７，７においては、被覆部材７０，７０の内部に剛性の高い鋼製の芯部材７１，７１が設けられることにより、縦フレーム７，７における構造強度が確保される。
【００２５】
図２および図５〜図７に示されるように、間仕切パネル２の右方側の側端部に設けられる縦フレーム７には、凹部７６ａを有する側部カバー部材７６が取り付けられ、間仕切パネル２の左方側の側端部に設けられる縦フレーム７には、凸部７７ａを有する側部カバー部材７７が取り付けられている。側部カバー部材７６，７７は、アルミ合金製の押出成形品であり、縦フレーム７の被覆部材７０と上下方向の寸法が略同一に構成され（図２参照）、縦フレーム７を構成する芯部材７１に対して固定ネジ１３によりネジ止めされることにより固定されている。
【００２６】
尚、本実施例において、隣接する間仕切パネル２，２を左右方向に連接させる際に、一方の間仕切パネル２の側端部を他方の間仕切パネル２の対向する側端部に当接させることにより、側部カバー部材７６の凹部７６ａと側部カバー部材７７の凸部７７ａとが凹凸嵌合するとともに、側部カバー部材７７の凸部７７ａが側部カバー部材７６の凹部７６ａの内面に設けられる一対のゴム製の舌片７６ｂ，７６ｂ（規制部）に圧接されることにより、隣接する間仕切パネル２，２間における密閉性および遮音性が高められている。
【００２７】
図２および図５〜図７に示されるように、間仕切パネル２の右方側の側端部（縦フレーム７）に取り付けられる側部カバー部材７６の凹部７６ａには、把持部材１０が取り付けられている。把持部材１０は、帯状の布材から構成されることにより可撓性を有しており、両端部を重ね合わせて輪形状に成形した状態で、側部カバー部材７６の凹部７６ａの底面と共に縦フレーム７の芯部材７１に対して固定ネジ１１によりネジ止めされることにより固定されている。尚、把持部材１０は、間仕切パネル２の左方側の側端部に取り付けられる側部カバー部材７７の凸部７７ａに取り付けられていてもよく、この場合には把持部材１０を把持しやすい。
【００２８】
また、図６および図７に示されるように、側部カバー部材７７の凸部７７ａの先端部には、幅方向（前後方向）の中央部分が間仕切パネル２の幅方向内側に凹む上面視略Ｈ字状のゴム製の保護材７７ｂが取り付けられており、側部カバー部材７６の凹部７６ａと側部カバー部材７７の凸部７７ａとが凹凸嵌合する際に、把持部材１０を固定する固定ネジ１１と凸部７７ａとが互いに干渉しないように構成されている。
【００２９】
また、把持部材１０は、側部カバー部材７６の凹部７６ａにおいて、側部カバー部材７６の凹部７６ａの内面に設けられる一対の舌片７６ｂ，７６ｂよりも間仕切パネル２の幅方向内側に入り込むように配置されており一対の舌片７６ｂ，７６ｂの先端部により把持部材１０の自由端１０ａ側の動きが規制されている。尚、把持部材１０の幅寸法は、一対の舌片７６ｂ，７６ｂの先端部が把持部材１０の自由端１０ａ側の動きを規制できる程度であればよく、本実施例においては、側部カバー部材７６の凹部７６ａの底面の前後方向の寸法と略同一、すなわち一対の舌片７６ｂ，７６ｂの先端部間の距離よりも把持部材１０の幅寸法は長く構成され、幅方向の両側端部が一対の舌片７６ｂ，７６ｂの先端部と接触するようになっている。尚、把持部材１０の幅寸法は、一対の舌片７６ｂ，７６ｂの先端部と接触しないように幅狭に構成されていてもよい。
【００３０】
また、図５に示されるように、把持部材１０の一端の固定部１０ｂ（一部位）が側部カバー部材７６の凹部７６ａに取り付けられた状態において、把持部材１０の自由端１０ａ（他の部位）は、側部カバー部材７６の凹部７６ａ内に収納されるように構成されている。尚、把持部材１０の固定部１０ｂにおいては、帯状の布材の一方の端部を折り曲げて重ね合わせた状態で固定ネジ１１によりネジ止めされることにより、自由端１０ａ側に膨らみを持たせ把持しやすくなっている。
【００３１】
次いで、把持部材１０を利用して間仕切パネル２を移動させる方法について説明する。図８および図９に示されるように、作業者は、可撓性を有する把持部材１０の自由端１０ａを把持して変形させ凹部７６ａから引き出した後、固定ネジ１１を中心に把持部材１０を略９０度変形させて間仕切パネル２の表面側まで引き出すことにより、間仕切パネル２の正面側に立った状態で間仕切パネル２をレール３に沿って移動させることができる。
【００３２】
以上説明したように、本実施例の間仕切パネル２は、間仕切パネル２の側端部に設けられる把持部材１０を把持して引っ張ることにより、ガラスパネル４，４や縦フレーム７に直接触れることなく間仕切パネル２を移動させることができる。また、作業者は、可撓性を有する把持部材１０の自由端１０ａを変形させて間仕切パネル２の表面側まで引き出すことにより、間仕切パネル２の正面に立った状態で間仕切パネル２，２，…の連接および連接の解除作業を行うことができるため、間仕切パネル２を移動させやすくなるとともに、隣接する間仕切パネル２，２間における手の挟み込みを防止することができる。また、重量が大きく移動時に大きな慣性力が作用しやすい大型の間仕切パネル等においても、把持部材１０を利用して間仕切パネルの正面に立った状態で間仕切パネルの連接および連接の解除作業を行うことができるため、作業の安全性を高めることができる。
【００３３】
また、把持部材１０は、側部カバー部材７６の凹部７６ａに取り付けられることにより、間仕切パネル２，２，…を連接させる際に、把持部材１０を隣接する間仕切パネル２，２の側端面間に形成される空間、すなわち側部カバー部材７６の凹部７６ａに収納することができるため、隣接する間仕切パネル２，２間における把持部材１０の挟み込みを防ぐことができるとともに、側部カバー部材７６の凹部７６ａと凹凸嵌合する側部カバー部材７７側に把持部材１０の収納空間を設ける必要がない。尚、把持部材１０は、前述したように膨らみを持たせた自由端１０ａにおける布材を重ね合わせることにより、側部カバー部材７６の凹部７６ａにおける占有スペースを小さくすることができる。
【００３４】
また、側部カバー部材７６の凹部７６ａの内面に設けられる一対の舌片７６ｂ，７６ｂが把持部材１０の自由端１０ａ側の動きを規制することにより、側部カバー部材７６の凹部７６ａの外への把持部材１０の自由端１０ａの飛び出しを抑えることができるため、隣接する間仕切パネル２，２間における把持部材１０の挟み込みを防ぐことができる。
【００３５】
また、間仕切パネル２，２，…の連接作業時においては、移動中の間仕切パネル２が連接される間仕切パネル２（静止している間仕切パネル２）の側部カバー部材７６の凹部７６ａに取り付けられる把持部材１０の自由端１０ａを、一対の舌片７６ｂ，７６ｂの先端部と側部カバー部材７６の凹部７６ａの底面との間に位置するように収納することにより、側部カバー部材７７の凸部７７ａが側部カバー部材７６の凹部７６ａの内面に設けられる一対の舌片７６ｂ，７６ｂに確実に圧接させることができる。尚、凹部７６ａに収納された把持部材１０の自由端１０ａの両側端部を一対の舌片７６ｂ，７６ｂの先端部で押さえることにより、前述したように、占有スペースを小さくした状態を維持することができる。
【００３６】
尚、把持部材１０は、可撓性を有する帯状の布材であるため、仮に、隣接する間仕切パネル２，２間や、側部カバー部材７７の凸部７７ａと側部カバー部材７６の凹部７６ａの内面に設けられる一対の舌片７６ｂ，７６ｂとの間に挟み込まれたとしても、把持部材１０や側部カバー部材７６，７７等の変形や破損が起こり難くなっている。
【００３７】
また、把持部材１０は、縦フレーム７の強度の高い芯部材７１に対して固定されることにより、固定強度が高められるとともに、把持部材１０を把持して間仕切パネル２を移動させる際に、強度の高い芯部材７１に応力が作用することとなるため、縦フレーム７の変形や破損を抑えることができる。
【００３８】
尚、側部カバー部材７６の凹部７６ａに対する把持部材１０の取付構造の変形例として、図１０に示されるように、把持部材１０は、縦フレーム７の芯部材７１に対して固定軸１１１により回動可能に軸支されていてもよい。これによれば、固定軸１１１を軸として把持部材１０を回動させることにより、把持部材１０の自由端１０ａを大きく変形させることなく間仕切パネル２の表面側まで引き出しやすくなるため、把持部材１０の損耗を抑えることができる。尚、説明の便宜上、図１０においては、側部カバー部材７６の凹部７６ａの内側に設けられる一対の舌片７６ｂ，７６ｂの図示を省略している。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前記実施例では、間仕切パネル２は、前後に間隔をおいて対向配置される一対のガラスパネル４，４と、ガラスパネル４，４を一体に保持する枠部材５と、から主に構成される二重ガラスパネル構造として説明したが、これに限らず、間仕切パネルは、側端部に把持部材１０を取り付けるための凹部が設けられるものであれば、その構造は自由に構成されてよい。また、間仕切パネル２は、パネル部材としてガラスパネル４が使用されるものに限らず、透明度の高いポリカーボネートやアクリル樹脂製のパネル材、あるいは金属製パネルや木製パネル等が使用されてもよい。
【００４１】
また、縦フレーム７，７を構成する芯部材７１，７１は、鋼製のものに限らず、少なくとも被覆部材を構成する素材（アルミ合金等）よりも剛性の高い素材から構成されていればよい。さらに、被覆部材は、アルミ合金製以外の金属や木材および合成樹脂等から構成されていてもよい。
【００４２】
また、縦フレーム７は、芯部材７１をなくして被覆部材７０のみで構成されていてもよい。また、縦フレーム７，７と側部カバー部材７６，７７とが一体に構成されていてもよい。
【００４３】
また、把持部材１０は、布製のものに限らず、可撓性を有する素材であれば、例えば樹脂製のものであってもよく、その形状は帯状に限られず例えばひも状であってもよい。また、図１１に示される把持部材１１０のように、直線の帯状に構成されていてもよく、把持部材１１０は、前記実施例において説明したように、固定ネジにより固定されていても、固定軸により回動可能に軸支されていてもよい。
【００４４】
また、図１２に示される把持部材２１０のように、別体に設けられ可撓性を有さない板状の自由端２１０ａ（他の部位）と板状の固定部２１０ｂ（一部位）との間が曲折、屈折等により変形可能な連結部２１０ｃにより連結されることにより構成されていてもよい。尚、把持部材２１０は、一端の固定部２１０ｂが側部カバー部材７６の凹部７６ａに固定ネジ１１によりネジ止めされて固定された状態において、連結部２１０ｃにより連結される自由端２１０ａを回転させることにより、把持部材２１０の一部を引き出し変形可能となっている。また、連結部２１０ｃは、自由端２１０ａと固定部２１０との間が変形可能な構造であればよく、例えば、ヒンジ、ボールジョイントまたは可撓性を有する布製や樹脂製等の帯やひもであってもよい。
【００４５】
また、図１３に示される把持部材３１０のように、側部カバー部材７６の凹部７６ａの底部に沿った状態から、弓形に引き出し変形可能な把手として構成されていてもよい。尚、把持部材３１０は、把持した手を離すことにより素材の弾性力により側部カバー部材７６の凹部７６ａの底部に沿った状態に戻り、側部カバー部材７６の凹部７６ａにコンパクトに収納できるようになっている。
【００４６】
また、把持部材１０，１１０，２１０，３１０の取付位置は、間仕切パネル２の側端部の上下略中央の位置に限らず、大型の間仕切パネルの場合には、間仕切パネルの側端部の下方側に設けられていてもよい。
【符号の説明】
【００４７】
１                            移動間仕切装置
２                            間仕切パネル
３                            レール（誘導路）
４                            ガラスパネル（パネル部材）
５                            枠部材
６                            上部フレーム
７                            縦フレーム
８                            下部フレーム
９                            吊支部材
１０，１１０，２１０，３１０  把持部材（長尺体）
１０ａ                        自由端（他の部位）
１０ｂ                        固定部（一部位）
１１                          固定ネジ
６０                          上部閉塞部材
７０                          被覆部材
７１                          芯部材
７６，７７                    側部カバー部材
７６ａ                        凹部
７６ｂ                        舌片（規制部）
７７ａ                        凸部
７７ｂ                        保護材
８０                          下部閉塞部材
１１１                        固定軸
２１０ａ                        自由端（他の部位）
２１０ｂ                        固定部（一部位）
２１０ｃ                        連結部
【図１】
2019085707.tif 000003
【図２】
2019085707.tif 000004
【図３】
2019085707.tif 000005
【図４】
2019085707.tif 000006
【図５】
2019085707.tif 000007
【図６】
2019085707.tif 000008
【図７】
2019085707.tif 000009
【図８】
2019085707.tif 000010
【図９】
2019085707.tif 000011
【図１０】
2019085707.tif 000012
【図１１】
2019085707.tif 000013
【図１２】
2019085707.tif 000014
【図１３】
2019085707.tif 000015